(57)【要約】【課題】廃棄時、軸筒とコイルスプリングとを分解して分別する必要がなく、しかも、筆記体を軸筒内に挿入する際、耳障りな音の発生を抑えることができる出没式筆記具を提供する。【解決手段】軸筒２内に筆記体６を前後方向に移動可能に収容する。軸筒２内に、筆記体６を後方に付勢するコイルスプリング８を収容する。コイルスプリング８の後方付勢に抗して筆記体６を前方に押圧操作することによって、軸筒２の前端孔３１より筆記体６のペン先６１を出没自在に構成する。軸筒２及び前記コイルスプリング８を樹脂製とする。軸筒２が透明の樹脂からなり、コイルスプリング８が着色された樹脂からなる。コイルスプリング８と軸筒２とが同一の樹脂からなる。【選択図】  図１
2010052392.tif 000002
【特許請求の範囲】
【請求項１】
軸筒内に筆記体を前後方向に移動可能に収容し、前記軸筒内に、前記筆記体を後方に付勢するコイルスプリングを収容し、前記コイルスプリングの後方付勢に抗して筆記体を前方に押圧操作することによって、前記軸筒の前端孔より前記筆記体のペン先を出没自在に構成した出没式筆記具であって、前記軸筒及び前記コイルスプリングを樹脂製としたことを特徴とする出没式筆記具。
【請求項２】
前記軸筒内に複数の筆記体を前後方向に移動可能に収容し、前記軸筒内に前記各々の筆記体を後方に付勢する前記コイルスプリングを複数収容し、前記各々の筆記体の後端に操作体を連結し、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなる請求項１記載の出没式筆記具。
【請求項３】
前記軸筒が透明の樹脂からなり、前記コイルスプリングが着色された樹脂からなる請求項１または２記載の出没式筆記具。
【請求項４】
前記コイルスプリングと前記軸筒とが同一の樹脂からなる請求項１、２または３記載の出没式筆記具。
【発明の詳細な説明】
【技術分野】
【０００１】
本発明は、出没式筆記具に関する。
【背景技術】
【０００２】
従来この種の筆記具において、軸筒内に複数の筆記体を前後方向に移動可能に収容し、前記軸筒内に、前記各々の筆記体を後方に付勢するリターンスプリング（本願のコイルスプリングに相当）を収容した構成が知られている。（例えば特許文献１）
【０００３】
【特許文献１】特開平９−５８１８４号公報
【発明の開示】
【発明が解決しようとする課題】
【０００４】
前記従来この種の出没式筆記具は、筆記体を後方に付勢するコイルスプリングとして、一般に、金属製のものが採用されている。そのため、軸筒が樹脂製の場合、出没式筆記具を廃棄する際、軸筒とコイルスプリングとを分解して金属と樹脂に分別する必要がある。また、前記従来の出没式筆記具は、筆記体を軸筒内に挿入する際、筆記体がコイルスプリングに接触して耳障りな音を発することがある。
【０００５】
本発明は、前記従来の問題点を解決するものであって、廃棄時、軸筒とコイルスプリングとを分解して分別する必要がなく、しかも、筆記体を軸筒内に挿入する際、耳障りな音の発生を抑えることができる出没式筆記具を提供しようとするものである。尚、本発明において、「前」とはペン先側を指し、「後」とはその反対側を指す。
【課題を解決するための手段】
【０００６】
[１]本願の第１の発明は、軸筒２内に筆記体６を前後方向に移動可能に収容し、前記軸筒２内に、前記筆記体６を後方に付勢するコイルスプリング８を収容し、前記コイルスプリング８の後方付勢に抗して筆記体６を前方に押圧操作することによって、前記軸筒２の前端孔２１，３１より前記筆記体６のペン先６１を出没自在に構成した出没式筆記具であって、前記軸筒２及び前記コイルスプリング８を樹脂製としたことを要件とする。
【０００７】
前記第１の発明の出没式筆記具１は、前記軸筒２及び前記コイルスプリング８を樹脂製としたことにより、廃棄時、軸筒２とコイルスプリング８とを分解して分別する必要がなく、しかも、筆記体６を軸筒２内に挿入する際、筆記体６がコイルスプリング８に接触しても耳障りな音の発生を抑えることができる。
【０００８】
［２］本願の第２の発明は、前記第１の発明の出没式筆記具１において、前記軸筒２内に複数の筆記体６を前後方向に移動可能に収容し、前記軸筒２内に前記各々の筆記体６を後方に付勢する前記コイルスプリング８を複数収容し、前記各々の筆記体６の後端に操作体７を連結し、前記軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させてなることを要件とする。
【０００９】
前記第２の発明の出没式筆記具１は、廃棄時、軸筒２とコイルスプリング８を分解して分別する必要がなく、しかも、筆記体６を軸筒２内に挿入する際、耳障りな音の発生を抑えることができる多芯タイプの出没式筆記具が得られる。
【００１０】
［３］本願の第３の発明は、前記第１または第２の発明の出没式筆記具１において、前記軸筒２が透明の樹脂からなり、前記コイルスプリング８が着色された樹脂からなることを要件とする。
【００１１】
前記第３の発明の出没式筆記具１は、着色されたコイルスプリング８を外部から視認することができ、従来にないユニークな外観を得ることができる。
【００１２】
［４］本願の第４の発明は、前記第１、第２または第３の発明の出没式筆記具１において、前記コイルスプリング８と前記軸筒２とが同一の樹脂からなることを要件とする。
【００１３】
前記第４の発明の出没式筆記具１によれば、軸筒２とコイルスプリング８とを分解して分別する必要がなく、軸筒２及びコイルスプリング８の樹脂を容易にリサイクルすることができる。
【発明の効果】
【００１４】
本発明の出没式筆記具によれば、廃棄時、軸筒とコイルスプリングとを分解して、分別する必要がなく、しかも、筆記体を軸筒内に挿入する際、耳障りな音の発生を抑えることができる。
【発明を実施するための最良の形態】
【００１５】
＜第１の実施の形態＞
図１乃至図３に本発明の第１の実施の形態を示す。
本実施の形態の出没式筆記具１は、軸筒２内に複数本（例えば２本〜６本）の筆記体６が前後方向に移動可能に収容される。前記軸筒２内には、前記筆記体６の本数に対応した複数（例えば２個〜６個）のコイルスプリング８が収容される。前記各々の筆記体６は、前記各々のコイルスプリング８により、後方に付勢されている。
【００１６】
前記コイルスプリング８は、圧縮コイルスプリングであり、ポリカーボネイト樹脂からなる。具体的には、前記コイルスプリング８は、着色されたポリカーボネイト樹脂からなる。
【００１７】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、透明な樹脂（例えば、透明のポリカーボネイト等）の射出成形により得られる。
【００１８】
前記後軸４の後部の側壁には、複数本の前後方向に延びる細長状の窓孔４１が、径方向に貫設される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれて後方に開口されている。一方、前記窓孔４１の前端は常時閉鎖されている。
【００１９】
また、前記後軸４の窓孔４１の相互間の側壁内面には、前後方向に延びるリブよりなる係止壁部４３が一体に形成され、前記係止壁部４３に、ペン先６１が突出した際の筆記体６の操作体７の後端が係止される。
【００２０】
（隔壁）
また、前記軸筒２の内壁（即ち後軸４の内壁）には、前後方向に延び且つ径方向内方に突出する２本のリブよりなる隔壁４４が、軸線に対して対称位置に一体に形成される。前記隔壁４４は、前記係止壁部４３の相互間に形成されるとともに、その前端が、スプリング支持部９の後方且つ窓孔４１の前方に位置される。
【００２１】
（スプリング支持部）
軸筒２の内壁（即ち後軸４の内壁）には、円筒状のスプリング支持部９が固着される。前記スプリング支持部９は、筆記体６が挿通される複数（具体的には２個）の内孔９１が軸方向に貫設されている。前記スプリング支持部９の後面と、各々の操作体７の鍔部７５の前面との間には、コイルスプリング８が配置される。前記各々のコイルスプリング８の内部に筆記体６が遊挿されるとともに、各々のコイルスプリング８の前端はスプリング支持部９の後面により係止され、各々のコイルスプリング８の後端は操作体７の鍔部７５の前面に係止される。尚、前記スプリング支持部９は、軸筒２内壁に一体に形成されてもよい。
【００２２】
（蓋部）
前記後軸４の後端部には、前記開口部４２を開閉自在にする蓋部５が回動自在に設けられる。前記蓋部５の一端部は、クリップ基部に、ヒンジ部５２により回動自在に接続される。前記ヒンジ部５２は、ペン先下向きでクリップ４５を正面視したときのクリップ４５の左右方向に延設され、それにより、前記蓋部５は、略前後方向に回動自在となる。前記蓋部５の前面には、当接壁部５１が形成される。前記当接壁部５１に、没入状態の筆記体６の後端に連結された各々の操作体７の後端が、衝止される。
【００２３】
前記蓋部５の他端部の前面には、係合部５３が設けられる（具体的には係合凹部または係合孔部が形成される）。後軸４の後端には、前記係合部５３と係合可能な被係合部４６が設けられる（具体的には係合凸部が突設される）。前記係合部５３（係合凹部または係合孔部）の内面には、内向突起が形成され、一方、前記被係合部４６（係合凸部）の外面には、前記内向突起と乗り越え係止可能な外向突起が形成される。
【００２４】
前記係合部５３と前記被係合部４６とは、蓋部５が開口部４２を閉鎖した際、互いに係合状態にあり（具体的には内向突起と外向突起が乗り越え係止状態にあり）、コイルスプリング８の後方への付勢による操作体７と蓋部５前面の当接壁部５１との当接では、その係合状態は解除されず、蓋部５が開くことはない。
【００２５】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００２６】
また、前記ボールペンチップは、前端に回転可能に抱持されたボールをコイルスプリング等により前方に付勢し、前端縁部の内面にボールを密接させる構成である。また、ボールペンチップは、インキ収容管６２の前端開口部に圧入等により直接、取り付けてもよいが、本実施の形態ではペン先ホルダーを介してインキ収容管６２の前端開口部に固着される。
【００２７】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる後側突出部７３と、該操作部７１の反対側の後側突出部７３の前方に設けられる前側突出部７２と、前端部に形成され且つインキ収容管６２の後端開口部に嵌入される嵌入部７４と、該嵌入部７４の後方に形成される鍔部７５とを備える。また、前記鍔部７５の前面には、コイルスプリング８の後端が係止される。
【００２８】
筆記体６のペン先６１が没入状態のとき、その筆記体６に取り付けられた操作体７の後端部は、蓋部５の前面に形成された当接壁部５１に衝止される。一方、筆記体６のペン先６１が突出状態のとき、その筆記体６に取り付けられた操作体７の後端部は、軸筒２の内壁に形成された係止壁部４３に係止される。
【００２９】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００３０】
（ペン先の出没）
本実施の形態におけるペン先６１の出没作動について説明する（図１及び図２参照）。
一つの操作体７の操作部７１をコイルスプリング８の後方付勢に抗して窓孔４１に沿って前方にスライド操作すると、先に突出状態にあるペン先６１が没入されると同時に、そのスライド操作された操作体７に連結された筆記体６のペン先６１が前端孔３１より外部に突出される。
【００３１】
（筆記体及び操作体の交換）
本実施の形態における筆記体６及び操作体７の交換について説明する。
筆記体６を交換する際、蓋部５が軸筒２の後端の開口部４２を閉鎖した状態（図１参照）から、蓋部５を後方に回動させ、軸筒２の後端の開口部４２を開口する。前記軸筒２の後端の開口部４２が開口した状態（図３参照）で、操作体７を取り出すことにより、その操作体７と互いに連結状態にある筆記体６を、前記開口部４２を通して軸筒２内から取り出し、その後、互いに連結状態にある新たな筆記体６と新たな操作体７とを前記開口部４２を通して軸筒２内に挿入する。
【００３２】
前記第１の形態の出没式筆記具１は、軸筒２及びコイルスプリング８を樹脂製としたことにより、廃棄時、軸筒２とコイルスプリング８を分解して分別する必要がなく、しかも、筆記体６を軸筒２内に挿入する際、耳障りな音の発生を抑えることができる多芯タイプの出没式筆記具が得られる。
【００３３】
前記第１の形態の出没式筆記具１は、軸筒２が透明の樹脂からなるとともにコイルスプリング８が着色された樹脂からなることにより、着色されたコイルスプリング８を外部から視認することができ、従来にないユニークな外観を得ることができる。
【００３４】
前記第１の形態の出没式筆記具１は、コイルスプリング８と軸筒２とが同一の樹脂（ポリカーボネイト樹脂）からなることにより、軸筒２とコイルスプリング８とを分解して分別する必要がなく、軸筒２及びコイルスプリング８の樹脂を容易にリサイクルすることができる。
【００３５】
＜第２の実施の形態＞
図４及び図５に本発明の出没式筆記具１の第２の実施の形態を示す。
【００３６】
本実施の形態の出没式筆記具１は、軸筒２と、前記軸筒２内に前後方向に移動可能に収容される筆記体６と、前記軸筒２内に収容され、前記筆記体６を後方に常時付勢するコイルスプリング８とからなる。前記コイルスプリング８は、ポリアセタール樹脂からなる。
【００３７】
前記軸筒２の後端部には、出没機構が設けられる。前記出没機構は、前記軸筒２の後端より後方に突出するノック体を、前方に押圧することにより、ペン先没入状態にある筆記体６のペン先６１を前記軸筒２の前端孔２１より外部に突出状態にさせるノック機構である。さらに、本実施の形態では、ノック体を前方に押圧することにより、ペン先突出状態からペン先没入状態にするダブルノック式のノック機構が採用される。前記軸筒２は、ポリアセタール樹脂の成形体である。
【００３８】
前記筆記体６の内部には、インキ及び前記インキの消費に伴って前進する追従体（高粘度流体）が充填される。
【００３９】
前記筆記体６の前端には、前記インキが吐出可能なペン先６１が設けられる。前記ペン先６１は、前端に回転可能にボールが抱持されたボールペンチップが採用される。前記ペン先６１の前端に回転可能に抱持されたボールは、筆記体６内部の弾発体により前方に常時付勢され、ペン先６１前端の内向きの前端縁部に密接される。
【００４０】
前記第２の実施の形態の出没式筆記具１は、軸筒２及びコイルスプリング８を樹脂製としたことにより、廃棄時、軸筒２とコイルスプリング８を分解して分別する必要がなく、しかも、筆記体６を軸筒２内に挿入する際、耳障りな音の発生を抑えることができる。
【００４１】
前記第２の形態の出没式筆記具１は、コイルスプリング８と軸筒２とが同一の樹脂（ポリアセタール樹脂）からなることにより、軸筒２とコイルスプリング８とを分解して分別する必要がなく、軸筒２及びコイルスプリング８の樹脂を容易にリサイクルすることができる。
【図面の簡単な説明】
【００４２】
【図１】本発明の第１の実施の形態の全ペン先没入状態（非筆記時）を示す縦断図である。
【図２】図１の出没式筆記具の一つのペン先が突出した状態（筆記時）を示す縦断面図である。
【図３】図１の出没式筆記具の後端の開口部を開口させた状態を示す側面図である。
【図４】本発明の第２の実施の形態のペン先没入状態（非筆記時）を示す縦断図である。
【図５】図４の出没式筆記具のペン先突出状態（筆記時）を示す縦断面図である。
【符号の説明】
【００４３】
１  出没式筆記具
２  軸筒
２１  前端孔
２２  クリップ
３  前軸
３１  前端孔
４  後軸
４１  窓孔
４２  開口部
４３  係止壁部
４４  隔壁
４５  クリップ
４６  被係合部
５  蓋部
５１  当接壁部
５２  ヒンジ部
５３  係合部
６  筆記体
６１  ペン先（ボールペンチップ）
６２  インキ収容管
７  操作体
７１  操作部
７２  前側突出部
７３  後側突出部
７４  嵌入部
７５  鍔部
８  コイルスプリング
９  スプリング支持部
９１  内孔
【図１】
2010052392.tif 000003
【図２】
2010052392.tif 000004
【図３】
2010052392.tif 000005
【図４】
2010052392.tif 000006
【図５】
2010052392.tif 000007